(57)【要約】【課題】操作者に対して動作エラー発生を明確に認識させることができる画像形成装置を提供する。【解決手段】操作者に対して操作案内を表示する表示部４１０、動作エラーの発生を検知するエラー検知部５２２と、複数の機能の稼働状況を表示部４１０に表示させる状況表示指示を操作者から受け付ける状況表示キー４１１と、状況表示キー４１１で操作者から状況表示指示が受け付けられた場合には、エラー検知部５２２で動作エラーが検知されていれば、表示部４１０に動作エラー発生を表示させ、エラー検知部５２２で動作エラーが検知されていなければ、表示部４１０に上記複数の機能の稼働状況を表示させる表示制御部５２３とを備える。【選択図】図２
2007232908.tif 000002
【特許請求の範囲】
【請求項１】
複数の機能を実行可能な画像形成装置であって、
操作者に対して操作案内を表示する表示手段と、
動作エラーの発生を検知するエラー検知手段と、
前記複数の機能の稼働状況を前記表示手段に表示させる状況表示指示を操作者から受け付ける状況表示指示受付手段と、
前記状況表示指示受付手段で操作者から前記状況表示指示が受け付けられた場合には、前記エラー検知手段で動作エラーが検知されていれば、前記表示手段に動作エラー発生を表示させ、前記エラー検知手段で動作エラーが検知されていなければ、前記表示手段に前記複数の機能の稼働状況を表示させる表示制御手段と
を備えた画像形成装置。
【請求項２】
前記表示手段は、操作者からの指示を受け付け可能なタッチパネル機能を備え、
前記表示制御手段は、前記状況表示指示受付手段で前記状況表示指示が受け付けられ、前記エラー検知手段で動作エラーが検知されている場合には、前記動作エラー発生表示と共に、当該動作エラー発生表示をスキップして前記稼働状況表示に切り替える切替指示を前記タッチパネル機能により操作者から受け付ける切替受付キーを前記表示手段に表示させ、この切替受付キーに前記切替指示が受け付けられると、前記表示手段に前記稼働状況を表示させる請求項１に記載の画像形成装置。
【請求項３】
前記表示制御手段は、装置動作中に前記エラー検出手段によって動作エラーが検出された場合には、前記切替受付キーの表示がない動作エラー発生を前記表示手段に表示させる請求項２に記載の画像形成装置。
【請求項４】
実行する機能を切り替える機能切替指示が操作者から入力される機能切替指示入力手段と、
前記機能切替指示入力手段に入力された機能切替指示の示す機能が、前記エラー検知手段によって検知された動作エラーが継続していても動作可能か否かを判断する判断手段とを更に備え、
前記表示制御手段は、前記表示手段での前記動作エラー発生の表示中に、前記機能切替指示入力手段に機能切替指示が入力され、当該機能切替指示の示す機能に基づく動作が、前記動作エラー発生中は実行不可能であると前記判断手段によって判断された場合は、前記表示手段に前記切替受付キーの表示がない前記動作エラー発生を表示させる請求項２に記載の画像形成装置。
【発明の詳細な説明】
【技術分野】
【０００１】
本発明は、複写機、ファクシミリ装置、複合機等の画像形成装置に関する。
【背景技術】
【０００２】
従来から、複写機、ファクシミリ装置、複合機等の画像形成装置では、紙詰まり等のエラーが発生した場合には、当該エラーの発生を、操作パネルに備えられた表示装置が表示するものが知られている（例えば、特許文献１）。また、コピー機能、ファクシミリ機能、プリンタ機能等を兼ね備えた複合機では、ある動作のエラーが発生していても、他の動作は実行できる場合があるため、動作エラーが解消していなくても、この動作エラーにより支障を生じない他の動作を実行可能とした画像形成装置も知られている。また、実行可能な他の動作や、ジョブ受付状況等の動作状態を表示装置に表示できるようにした画像形成装置も提案されている。
【特許文献１】特開２００５−２０８３３５号公報
【発明の開示】
【発明が解決しようとする課題】
【０００３】
上記従来の画像形成装置においては、動作エラー発生時であっても、実行可能な他の動作を確認したり、受け付け済みのジョブを確認するために、操作者からの指示に基づいて表示装置に上記動作状況を表示させることができるが、この場合、操作者は、画像形成装置のいずれかの動作でエラーが発生していることを充分に認識できない場合がある。
【０００４】
本発明は、上記問題点を解消するためになされたものであり、操作者に対して動作エラー発生を充分に認識させることができる画像形成装置を提供することを目的とする。
【課題を解決するための手段】
【０００５】
請求項１に記載の発明は、複数の機能を実行可能な画像形成装置であって、
操作者に対して操作案内を表示する表示手段と、
動作エラーの発生を検知するエラー検知手段と、
前記複数の機能の稼働状況を前記表示手段に表示させる状況表示指示を操作者から受け付ける状況表示指示受付手段と、
前記状況表示指示受付手段で操作者から前記状況表示指示が受け付けられた場合には、前記エラー検知手段で動作エラーが検知されていれば、前記表示手段に動作エラー発生を表示させ、前記エラー検知手段で動作エラーが検知されていなければ、前記表示手段に前記複数の機能の稼働状況を表示させる表示制御手段と
を備えたものである。
【０００６】
この構成では、表示制御手段が、状況表示指示受付手段で操作者から状況表示指示が受け付けられても、エラー検知手段で動作エラーが検知されていれば、表示手段に動作エラー発生を表示させるので、操作者に対して動作エラー発生を充分に認識させることができる。
【０００７】
また、請求項２に記載の発明は、請求項１に記載の画像形成装置であって、前記表示手段は、操作者からの指示を受け付け可能なタッチパネル機能を備え、
前記表示制御手段は、前記状況表示指示受付手段で前記状況表示指示が受け付けられ、前記エラー検知手段で動作エラーが検知されている場合には、前記動作エラー発生表示と共に、当該動作エラー発生表示をスキップして前記稼働状況表示に切り替える切替指示を前記タッチパネル機能により操作者から受け付ける切替受付キーを前記表示手段に表示させ、この切替受付キーに前記切替指示が受け付けられると、前記表示手段に前記稼働状況を表示させるものである。
【０００８】
この構成では、状況表示指示受付手段で操作者から状況表示指示が受け付けられても、エラー検知手段で動作エラーが検知されていれば、表示制御手段は表示手段に動作エラー発生を表示させるが、このとき、動作エラー発生表示と共に表示される切替受付キーで稼働状況表示への切替指示が受け付けられると、表示制御手段は表示手段に稼働状況を表示させるので、操作者に対して動作エラー発生を充分に認識させることができると共に、操作者が当該画像形成装置の稼働状態を確認することも可能になる。
【０００９】
また、請求項３に記載の発明は、請求項２に記載の画像形成装置であって、前記表示制御手段は、装置動作中に前記エラー検出手段によって動作エラーが検出された場合には、前記切替受付キーの表示がない動作エラー発生を前記表示手段に表示させるものである。
【００１０】
この構成では、装置動作中にエラー検出手段によって動作エラーが検出され、これに基づいて表示制御手段が動作エラー発生を表示手段に表示させる場合には、上記切替受付キーを表示させずに動作エラー発生を表示させるので、操作者は、上記切替受付キーによって簡単に当該動作エラー表示を切り替えることができない。これにより、装置動作中に動作エラーが生じた場合には、動作エラー解除の重要性を操作者に認識させることができる。
【００１１】
また、請求項４に記載の発明は、請求項２に記載の画像形成装置であって、実行する機能を切り替える機能切替指示が操作者から入力される機能切替指示入力手段と、
前記機能切替指示入力手段に入力された機能切替指示の示す機能が、前記エラー検知手段によって検知された動作エラーが継続していても動作可能か否かを判断する判断手段とを更に備え、
前記表示制御手段は、前記表示手段での前記動作エラー発生の表示中に、前記機能切替指示入力手段に機能切替指示が入力され、当該機能切替指示の示す機能に基づく動作が、前記動作エラー発生中は実行不可能であると前記判断手段によって判断された場合は、前記表示手段に前記切替受付キーの表示がない前記動作エラー発生を表示させるものである。
【００１２】
この構成では、動作エラー発生の表示中に入力された機能切替指示の示す機能に基づく動作が、動作エラー発生中は実行不可能であると判断手段によって判断され、この判断に基づいて表示制御手段が動作エラー発生を表示手段に表示させる場合には、上記切替受付キーを表示させずに動作エラー発生を表示させるので、操作者は、上記切替受付キーによって簡単に当該動作エラー表示を切り替えることができない。これにより、当該動作エラー解除の重要性を操作者に認識させることができる。
【発明の効果】
【００１３】
請求項１に記載の発明によれば、操作者から状況表示指示が受け付けられても、動作エラーが生じている場合には、表示手段に動作エラー発生が表示されるので、操作者に対して動作エラー発生を確実に認識させることができる。
【００１４】
請求項２に記載の発明によれば、動作エラー発生表示と共に表示される切替受付キーで稼働状況表示への切り替え指示が受け付けられると稼働状況が表示されるので、操作者は動作エラー発生の認識と、稼働状況の確認の両方を行うことができる。
【００１５】
請求項３に記載の発明によれば、装置動作中に動作エラーが生じた場合には、上記切替受付キーの表示がない動作エラー発生の表示がされ、操作者は、上記切替受付キーによって簡単に当該動作エラー表示を切り替えることができないので、装置動作中に動作エラーが生じた場合には、操作者に動作エラー解除の重要性を認識させることができる。
【００１６】
請求項４に記載の発明によれば、動作エラー発生の表示中に指示された動作が、動作エラー発生中は実行不可能であると判断されて動作エラー発生が表示される場合には、上記切替受付キーの表示がない動作エラー発生の表示がされ、操作者は、上記切替受付キーによって簡単に当該動作エラー表示を切り替えることができないので、当該動作エラー解除の重要性を操作者に認識させることができる。
【発明を実施するための最良の形態】
【００１７】
以下、本発明に係る画像形成装置の一例として本発明の一実施の形態による複合機について図面を参照しながら説明する。
【００１８】
図１は、本発明の一実施の形態による複合機の構成を主に示す側面概略図である。複合機１は、本体部２００と、本体部２００の用紙搬出側、例えば左側に配設された用紙後処理部３００と、ユーザが種々の操作指令等を入力するための操作部４００と、本体部２００の上部に配設された原稿読み取り部５００と、原稿読み取り部５００の上部に配設された原稿給送部６００とから構成される。
【００１９】
操作部４００は、ＬＣＤ（Liquid Crystal Display）等からなる表示部４１０と、操作者から操作指示が入力される操作キー部４３０を備える。操作キー部４３０は、機能切替キー４３１、スタートキー４３２及びテンキー４３３等を備える。機能切替キー４３１は、操作者から、スキャナ機能、ファクシミリ機能、プリンタ機能、コピー機能、さらに詳しくは、後述するＨＤＤ７４や外部メモリに蓄積したデータを画面上に表示し、この画面で選択したデータをプリント、ファクス処理、又は消去等する機能（以下、ボックス機能と称する）等、を相互に切り替える機能切替指示が入力される。
【００２０】
原稿給送部６０は、原稿載置部６０１、給紙ローラ６０２、原稿搬送部６０３及び原稿排出部６０４を備え、原稿読み取り部５００は、スキャナ５０１を備える。給紙ローラ６０２は、原稿載置部６０１にセットされた所要枚数分の原稿を一枚ずつ繰り出し、原稿搬送部６０３は、繰り出される原稿を順次スキャナ５０１の読み取り位置に搬送する。スキャナ５０１は搬送される原稿の画像を順次読み取り、読み取られた原稿は原稿排出部６０４に排出される。
【００２１】
本体部２００は、複数の給紙カセット２０１、複数の給紙ローラ２０２、転写ローラ２０３、感光体ドラム２０４、露光装置２０６、現像装置２０７、定着ローラ２０８、排出口２０９、及び排出トレイ２１０等を備える。
【００２２】
感光体ドラム２０４は、矢印方向に回転しながら帯電装置（図示省略）によって一様に帯電される。露光装置２０６は、原稿読み取り部５００において読み取られた原稿の画像データに応じて変調されたレーザ光を感光体ドラム２０４上に走査し、ドラム表面に各色毎の静電潜像を形成する。現像装置２０７は、黒色の現像剤を感光体ドラム２０４に供給してトナー画像を形成する。
【００２３】
一方、給紙ローラ２０２は、印刷用紙が収納された給紙カセット２０１から印刷用紙を引き出し、転写ローラ２０３まで給送する。転写ローラ２０３は、搬送された印刷用紙に感光体ドラム２０４上のトナー像を転写させ、定着ローラ２０８は、転写されたトナー像を加熱して印刷用紙に定着させる。その後、印刷用紙は、本体部２００の排出口２０９から用紙後処理部３００に搬入される。また、印刷用紙は、必要に応じて排出トレイ２１０へも排出される。
【００２４】
用紙後処理部３００は、搬入口３０１、印刷用紙搬送部３０２、搬出口３０３及びスタックトレイ３０４等を備える。印刷用紙搬送部３０２は、排出口２０９から搬入口３０１に搬入された印刷用紙を順次搬送し、最終的に搬出口３０３からスタックトレイ３０４へ印刷用紙を排出する。スタックトレイ３０４は、搬出口３０３から搬出された印刷用紙の集積枚数に応じて矢印方向に上下動可能に構成されている。
【００２５】
図２は、図１に示す複合機の制御ブロック図である。複合機１は、スキャナ部１１、画像処理部２１、プリンタ部３１、操作部４００、制御部５１、ネットワークＩ／Ｆ（インターフェース）部７１、及びＨＤＤ（ハードディスクドライブ）７４を備える。
【００２６】
スキャナ部１１は、図１に示すスキャナ５０１を構成する露光ランプ１２及びＣＣＤ（電荷結合素子）１３を含む。スキャナ部１１は、露光ランプ１２により原稿を照射し、その反射光をＣＣＤ１３で受光することにより、原稿から画像を読み取り、読み取った画像に対応する画像データを画像処理部２１へ出力する。
【００２７】
画像処理部２１は、補正部２２、画像加工部２３及び画像メモリ２４を含む。画像処理部２１は、読み取られた画像データを必要に応じて補正部２２及び画像加工部２３により処理し、処理された画像データを画像メモリ２４に記憶したり、プリンタ部３１へ出力する。補正部２２は、読み取られた画像データに対してレベル補正、γ補正等の所定の補正処理を行う。画像加工部２３は、画像データの圧縮又は伸張処理、及び拡大又は縮小処理等の種々の加工処理を行う。
【００２８】
プリンタ部３１は、図１に示す給紙カセット２０１及び給紙ローラ２０２等から構成される用紙搬送部３２、図１に示す感光体ドラム２０４、露光装置２０６及び現像装置２０７等から構成される画像形成部３３、図１に示す転写ローラ２０３等から構成される転写部３４、及び図１に示す定着ローラ２０８等から構成される定着部３５を含む。プリンタ部３１は、スキャナ部１１により読み取られた原稿データを用いて画像を記録紙に印刷する。具体的には、用紙搬送部３２は記録紙を画像形成部３３へ搬送し、画像形成部３３は上記の画像データに対応するトナー像を形成し、転写部３４はトナー像を記録紙に転写し、定着部３５はトナー像を記録紙に定着させて画像を形成する。
【００２９】
ネットワークＩ／Ｆ部７１は、ネットワークインタフェース（10/100Base-TX）等を用い、ＬＡＮを介して外部装置との間での種々のデータの送受信を制御する。ＨＤＤ７４は、スキャナ部１１によって読み取られた画像データ及び当該画像データに設定されている出力形式等を記憶する。
【００３０】
操作部４００は、図１に示す表示部４１０、操作キー部４３０を備える。表示部４１０は、タッチパネルとＬＣＤとを組み合わせたタッチパネルユニット等から構成される。表示部４１０は、操作者に操作案内を行う種々の操作画面を表示すると共に、操作者が表示面（表示されている操作キー）をタッチすることで種々の機能の実行指令を入力することが可能である。
【００３１】
表示制御部５２３によって、表示部４１０には、状況表示キー（状況表示指示受付手段）４１１と、保留キー（切替受付キー）４１２とが表示される。状況表示キー４１１は、複合機１が備える複数機能（コピー機能、ファクシミリ機能、プリンタ機能、スキャナ機能等）の稼働状況を表示部４１０に表示させる稼働状況表示指示を操作者からタッチパネル機能で受け付ける。状況表示キー４１１は、表示部４１０以外のファクシミリ装置部に設けられた機械的なキーであってもよい。保留キー４１２は、表示部４１０に動作エラー発生を示す表示画面を表示させているときに、当該動作エラー発生表示画面をスキップして上記稼働状況表示画面に切り替えるスキップ指示を操作者からタッチパネル機能で受け付ける。
【００３２】
操作キー部４３０は、上述のように機能切替キー４３１、スタートキー４３２、テンキー４３３等を有し、タッチセンサを利用したキーではなく、機械的に構成されたキー群からなる。
【００３３】
制御部５１は、ＣＰＵ５２と、表示画像データ記憶部５３とを備える。ＣＰＵ５２は、複合機１の動作制御を司るものである。表示画像データ記憶部５３は、表示部４１０に表示させる各種の静止画像データ、動画データ等を記憶している。
【００３４】
ＣＰＵ５２は、動作制御部５２１、エラー検知部５２２、表示制御部５２３、判断部５２４を備える。
【００３５】
動作制御部５２１は、複合機１の各部（スキャナ部１１，画像処理部２１、プリンタ部３１等）の動作制御を司る。エラー検知部５２２は、複合機１の動作中における各部の動作エラーを検知する。動作エラーとは、例えば、給紙カセット２０１から排出トレイ２１０までを繋ぐ用紙搬送路や、原稿給送部６００の原稿搬送部６０３等における紙詰まりや、画像形成部３３及び転写部３４等の故障による異常停止等である。
【００３６】
表示制御部５２３は、表示部４１０の動作を制御するものである。表示制御部５２３は、操作者に対する操作案内画面を表示させる。例えば、表示制御部５２３は、エラー検知部５２２によって上記動作エラーが検知されたときに、表示画像データ記憶部５３から必要な動画データを読み出して再生したり、表示画像データ記憶部５３から必要な静止画像データを読み出して、動作エラーを解除するための操作手順をアニメーション的に示す画面や、コピー機能等の各機能についての指示の入力を受け付けるための案内画面等を表示部４１０に表示させる。なお、本実施形態では、表示部４１０によるエラー発生表示は、上記動作エラー解除手順を案内する動画による画面、又は、動作エラーの旨を示す静止画の画面のどちらであってもよい。
【００３７】
判断部５２４は、機能切替キー４３１に操作者から機能切替指示が入力された場合に、当該機能切替指示の示す機能に基づく動作が、エラー検知部５２２によって検知された動作エラーの継続中でも実行可能であるか否かを判断する。例えば、判断部５２４は、各種の動作エラーと、各動作エラー発生中でも実行可能な他の動作とが関連付けられたデータテーブルを有しており、エラー検知部５２２によって動作エラーが検知された時に当該データテーブルに基づいて、実行可能な他の動作を読み出し、表示制御部５２３及び動作制御部５２１に通知する。
【００３８】
次に、複合機１における動作エラー発生及び動作指示受付に伴う画面表示制御を説明する。図３は複合機１における動作エラー発生及び動作指示受付に伴う画面表示制御を示すフローチャート、図４はコピー機能についての動作指示の受付画面の例を示す図、図５は稼働状況一覧を表示する画面の例を示す図、図６はコピー動作中を示す表示画面の例を示す図、図７は保留キーの表示がない紙詰まりの動作エラー発生時における表示画面の例を示す図、図８は保留キーの表示がある紙詰まりの動作エラー発生時における表示画面の例を示す図、図９はスキャナ機能についての動作指示の受付画面の例を示す図である。
【００３９】
複合機１で、コピー機能、ファクシミリ機能、プリンタ機能、スキャナ機能等のいずれかの機能についての指示を受け付ける指示受付画面、例えば、図４に示すようなコピー機能の指示受付画面を表示部４１０に表示させているときに（Ｓ１）、稼働状況表示指示が状況表示キー４１１に操作者から受け付けられると（Ｓ２でＹＥＳ）、表示制御部５２３は、図５に示すような稼働状況一覧を表示部４１０に表示させる（Ｓ１７）。
【００４０】
上記稼働状況一覧が表示部４１０に表示されているときに、機能切替キー４３１で操作者からの機能切替指示が受け付けられると（Ｓ１８でＹＥＳ）、表示制御部５２３は、当該機能切替指示に基づく機能についての指示を受け付ける指示受付画面を表示部４１０に表示させる（Ｓ１１）。
【００４１】
また、表示制御部５２３が、Ｓ１で各機能についての指示受付画面を表示部４１０に表示させているときに、表示中の機能が示す動作の実行指示が操作者から操作部４００で受け付けられると（Ｓ２でＮＯ、Ｓ３でＹＥＳ）、動作制御部５２１が当該指示に基づく動作を装置各部に行わせ、表示制御部５２３は、各動作別の動作中を表示する動作中画面を表示部４１０に表示させる（Ｓ４）。例えば、Ｓ１でコピー機能についての指示受付画面が表示されており、Ｓ３で操作者からコピー動作の実行指示が操作部４００で受け付けられると、表示制御部５２３は、図６に示すようなコピー動作中を示す表示画面を表示部４１０に表示させる。以下、コピー動作を行っている場合を例にして説明する。
【００４２】
上記コピー動作中に、エラー検知部５２２が、例えば紙詰まりの動作エラーを検知すると（Ｓ５でＹＥＳ）、表示制御部５２３は、表示画像データ記憶部５３から、当該紙詰まりの動作エラー発生時の画面表示用の動画データを読み出し、当該動画データを再生して、表示部４１０に表示させる（Ｓ６）。表示制御部５２３は、この動画データ再生により、例えば、図７に示すような動作エラー発生表示画面を表示部４１０に表示させ、操作者が、紙詰まりの動作エラーを解消するために必要な操作手順を表示部４１０に表示させる。この動作エラー発生表示画面には、表示制御部５２３が、状況表示キー４１１を表示するが、保留キー４１２は表示させない。この表示制御部５２３は、エラー検知部５２２によって動作エラーが解消したと検知されると、表示部４１０における当該動作エラー発生表示画面の表示を終了させる（Ｓ７でＹＥＳ）。
【００４３】
表示制御部５２３が、動作エラー発生表示画面を表示部４１０に表示させているときに（Ｓ６）、操作者から状況表示キー４１１に稼働状況一覧の表示指示が受け付けられず（Ｓ７でＮＯ，Ｓ８でＮＯ）、機能切替キー４３１に操作者からの機能切替指示が受け付けられると（Ｓ９でＹＥＳ）、判断部５２４は、当該指示に基づいて切り替えた後の機能に基づく動作が、現在発生している動作エラー（Ｓ５でエラー検知部５２２によって検出された動作エラー）が解消されずに継続している状態であっても実行可能か否かを判断する（Ｓ１０）。
【００４４】
判断部５２４が、上記機能切替キー４３１で受け付けられた機能切替指示の示す機能が、上記エラー動作が解消していなくても実行可能であると判断した場合（Ｓ１０でＹＥＳ）、表示制御部５２３は、当該機能切替指示の示す機能についての指示受付画面の表示に必要な画像データを表示画像データ記憶部５３から読み出し、読み出した画像データを表示部４１０に表示させる（Ｓ１１）。
【００４５】
例えば、コピー動作中に給紙カセット２０１からの用紙搬送路で紙詰まりが発生し、コピー動作が停止され、表示部４１０に紙詰まりが発生している旨の表示がされていても、スキャン動作であれば、読取原稿は原稿給送部６００の原稿搬送部６０３を搬送されるだけで足り、読み込み後の処理も、給紙カセット２０１から繋がる用紙搬送路を使用することがないため、実行が可能である。そのため、操作者からスキャナ機能に切り替える指示が機能切替キー４３１に受け付けられた場合、表示制御部５２３は、必要な画像データを表示画像データ記憶部５３から読み出し、図９に示すような、スキャナ機能についての指示受付画面を表示部４１０に表示させる。
【００４６】
また、上記動作エラー解消手順を示す動作エラー発生表示画面が表示部４１０に表示されているときに、機能切替キー４３１に操作者から入力された機能切替指示の示す機能が、現在発生している動作エラーが解消されなければ動作不可能であると判断部５２４によって判断された場合は（Ｓ１０でＮＯ）、Ｓ６に戻り、表示制御部５２３は、引き続き、動作エラー発生表示画面を表示部４１０に表示させ、上記動作エラーを解消するために必要な操作手順を表示する。例えば、コピー動作中に給紙カセット２０１からの用紙搬送路で紙詰まりが発生し、コピー動作が停止され、表示部４１０に紙詰まりが発生している旨の表示がされているときに、ボックス機能に切り替えられ、このボックス機能において、選択したデータのプリントが指示された場合は、この動作は、給紙カセット２０１から繋がる用紙搬送路を使用するため、紙詰まりのエラーが解消しない限り実行は不可能と判断部５２４によって判断され、表示制御部５２３は、引き続き、紙詰まりを解消するために必要な操作手順を表示部４１０に表示させる。
【００４７】
一方、上記Ｓ６で、表示制御部５２３が、動作エラー発生表示画面を表示部４１０に表示させているときに、状況表示キー４１１に操作者からの稼働状況一覧を表示させる指示が受け付けられると（Ｓ７でＮＯ，Ｓ８でＹＥＳ）、表示制御部５２３は、保留キー４１２の表示を加えた動作エラー発生表示画面を表示部４１０に表示させる（Ｓ１２）。この保留キー４１２の表示を加えた動作エラー発生表示画面の例を図８に示す。この動作エラー発生表示画面の表示中に、当該動作エラー発生表示画面をスキップする指示、すなわち、動作エラー発生表示画面を稼働状況一覧表示画面に切り替える指示が操作者から保留キー４１２で受け付けられると（Ｓ１３でＹＥＳ）、表示制御部５２３は、稼働状況一覧を表示部４１０に表示させる（Ｓ１５）。表示制御部５２３が、この稼働状況一覧を表示部４１０に表示させているときに、機能切替キー４３１で操作者からの機能切替指示が受け付けられると（Ｓ１６でＹＥＳ）、処理はＳ１０に移る。
【００４８】
また、上記Ｓ１２の動作エラー発生表示画面の表示中に、当該動作エラー発生表示画面をスキップする指示が操作者から受け付けられず（Ｓ１３でＮＯ）、機能切替キー４３１で機能切替指示が受け付けられた場合は（Ｓ１４でＹＥＳ）、表示制御部５２３が稼働状況一覧を表示部４１０に表示させることなく、処理はＳ１０に移る。
【００４９】
Ｓ１１で、表示制御部５２３が、機能切替指示の示す機能についての指示受付画面を表示部４１０に表示させた後は、処理はＳ７に戻り、表示制御部５２３は、エラー検知部５２２によって動作エラーが解消していなければ、Ｓ８乃至Ｓ１６の処理を繰り返す。
【００５０】
このような画面表示制御によれば、操作者から状況表示指示が受け付けられても、動作エラーが生じている場合には、表示部４１０に動作エラー発生が表示されるので、操作者に対して動作エラー発生を充分に認識させることができる。また、この動作エラー発生表示画面では、表示部４１０に保留キー４１２が表示され、この保留キー４１２で稼働状況表示への切り替え指示が操作者受け付けられた場合には稼働状況が表示されるので、操作者は、動作エラー発生を充分認識するだけでなく、稼働状況の確認も可能となっている。
【００５１】
なお、本発明は上記実施の形態の構成に限られず種々の変形が可能である。例えば、上記実施形態では、紙詰まりの動作エラーを解消するための操作手順を表示制御部５２３が表示部４１０に表示させる場合の画面表示切替制御を例にして説明しているが、本発明は、画像形成部３３及び転写部３４等の故障による異常停止を解消するための操作手順を、表示制御部５２３が表示部４１０に表示させる場合の画面表示切替制御であってもよいことは勿論、さらには、動作エラーを解消するための操作手順に限られず、表示制御部５２３が他の操作（例えば、給紙カセットへの用紙補給の仕方等）を案内するための操作手順を表示部４１０に行わせる場合にも適用可能である。
【００５２】
また、上記実施形態では、複合機１の構成及び処理を図１乃至図９に示しているが、これらは一例にすぎず、本発明に係る複合機１の構成及び処理をこれらに限定する趣旨ではない。
【００５３】
また、上記実施形態では、本発明に係る画像形成装置を複合機１として説明しているが、本発明に係る画像形成装置は複合機に限られない。
【図面の簡単な説明】
【００５４】
【図１】本発明の一実施の形態による複合機の構成を主に示す側面概略図である。
【図２】図１に示す複合機の制御ブロック図である。
【図３】複合機における動作エラー発生及び動作指示受付に伴う画面表示切替制御を示すフローチャートである。
【図４】コピー機能についての動作指示の受付画面の例を示す図である。
【図５】稼働状況一覧を表示する画面の例を示す図である。
【図６】コピー動作中を示す表示画面の例を示す図である。
【図７】保留キーの表示がない紙詰まりの動作エラー発生時における表示画面の例を示す図である。
【図８】保留キーの表示がある紙詰まりの動作エラー発生時における表示画面の例を示す図である。
【図９】スキャナ機能についての動作指示の受付画面の例を示す図である。
【符号の説明】
【００５５】
１          複合機
４００      操作部
４１０      表示部
４１１      状況表示キー
４１２      保留キー
４３０      操作キー部
４３１      機能切替キー
５２１      動作制御部
５２２      エラー検知部
５２３      表示制御部
５２４      判断部
【図１】
2007232908.tif 000003
【図２】
2007232908.tif 000004
【図３】
2007232908.tif 000005
【図５】
2007232908.tif 000006
【図６】
2007232908.tif 000007
【図７】
2007232908.tif 000008
【図８】
2007232908.tif 000009
【図４】
2007232908.tif 000010
【図９】
2007232908.tif 000011